(57)【特許請求の範囲】
【請求項１】
収容した飲料の抽出材にドリッピング位置にてドリッピングを受け飲料を抽出し、抽出した飲料を自身の下に差し入れられるサーバーに流出口から流出させるドリッパーであって、前記サーバーの差し入れ時その蓋側の凸部に、受動部が引っ掛かり合って押し上げ分力を受け上方に押し開かれる常閉のドリッパー弁を有し、このドリッパー弁は、その受動部での前記凸部との押し上げ分力を伴う引っ掛かりによりサーバーの差し入れ方向側上向きに傾動するようにしたことを特徴とする飲料の抽出用のドリッパー。
【請求項２】
収容した飲料の抽出材にドリッピング位置にてドリッピングを受け飲料を抽出し、抽出した飲料を自身の下に差し入れられるサーバーに流出口から流出させるドリッパーであって、前記サーバーの差し入れ時その蓋側の凸部に、受動部が引っ掛かり合って押し上げ分力を受け上方に押し開かれる常閉のドリッパー弁を有し、このドリッパー弁は、その受動部での前記凸部との押し上げ分力を伴う引っ掛かりによりサーバーの差し入れ方向側上向きに傾動するようにし、受動部を囲う底部周壁の下端および受動部の少なくとも一方を自立するように載置する接地部としたことを特徴とする飲料の抽出用のドリッパー。
【請求項３】
給水タンクと、この給水タンク内の水を導入して加熱し吐出口へと一方通行で送り吐出する給湯手段とを装備した器体と、この器体の上部の前記吐出口が下向きに開口しているドリッピング部の下に装着されて、収容している飲料の抽出材に吐出口から湯のドリッピングを受け飲料を抽出し流出口から流出させるドリッパーと、このドリッパーの下に差し入れられてドリッパーからの飲料を受け入れるサーバーと、サーバーの開口に着脱できるように装着されて、サーバー内の飲料を外部に注出する注出路と、この注出路を開閉する常閉の注出弁およびこれを外部操作する操作手段と、ドリッパーからの飲料を受けてサーバー内に流入させる受け入れ路と、この受け入れ路上に突出する受動凸部を有して受け入れ路を開閉する常閉のサーバー弁とが設けられた蓋と、を備え、ドリッパーは、サーバーの差し入れ時その蓋上に突出した受動凸部に、受動部が引っ掛かり合って互いに上下に押し退け合う押し退け分力を受け上方に押し開かれる常閉のドリッパー弁を有し、このドリッパー弁は、その受動部での前記受動凸部との押し退け分力を伴う引っ掛かりによりサーバーの差し入れ方向側上向きに傾動するようにしたことを特徴とする飲料自動抽出器。
【発明の詳細な説明】
【技術分野】
【０００１】
本発明は、コーヒーなどの飲料の抽出用のドリッパーとこれを用いた飲料自動抽出器に関する。
【背景技術】
【０００２】
下記特許文献１、２は、飲料自動抽出器のドリッピング部の下に抜き差しして着脱され、収容している飲料の抽出材にドリッピングを受けて飲料を抽出するドリッパーを開示している。これらのドリッパーは、抽出飲料の流出口に常閉弁を有し、残留する抽出飲料があっても漏れ出ない利点がある。常閉弁は下動習性を有して閉じ、ドリッパーの下に側方から抜き差しされるサーバーの蓋によって上方へ押し開かれ、抽出した飲料を、蓋を通じサーバー内に流下させられるようにしている。このために、下記特許文献１、２に開示の蓋は、その中央に凸部を有し、側方から所定位置まで差し入れる過程で、この凸部がドリッパーの常閉弁の受動部との引っ掛かりによって生じる持ち上げ分力にて押し開き、押し開き位置では同心に対向し合っている。
【０００３】
特許文献１に開示の蓋は、サーバーの注出口部を除く範囲を覆う単板構造で、ドーム型の凸部まわりを外周側から凸部に向けて低くして、ドリッパーから流下する抽出飲料を受け、凸部まわりの落とし口からサーバー内に抽出飲料が流下するようにしている。また、常閉弁は、下向きに凸の球面とした受動部を有し、適正位置に差し入れられたサーバー側の凸部と同心に対向し合って常閉弁が上方へ押し開かれるようになっている。結果、蓋の凸部と常閉弁の受動部とは、常閉弁を押し上げ開くだけの押動代を有して上下に対向し合い、サーバーなどの側方からの抜き差し時に常閉弁がその受動部下での凸部の進入、退避に応動するようになっている。
【０００４】
特許文献２に開示の蓋は、サーバーの片口を持った開口の内周にねじ嵌合して装着され、この装着状態でサーバー内を前記片口に繋げる注出路と、この注出路を開閉する常閉の注出弁と、ドリッパーからの抽出飲料を受け入れてサーバー内に流入させる受け入れ路と、この受け入れ路を開閉する常閉のサ−バー弁とを有している。これによって、サーバーは転倒しても飲料が漏れ出ることはない。この蓋側のサーバー弁は、蓋の前記凸部を受動部とするように弁棒で繋がり、上動習性を有して閉じる。これによって、サーバーをドリッパーの下に差し入れると、凸部とドリッパー側の常閉弁であるドリッパー弁の受動部とが上下に押し退け合うことで、ドリッパー弁およびサーバー弁が押し開かれ、ドリッパーから抽出飲料が流出し、これを蓋側が凸部まわりを外周側から弁棒の貫通穴まで低くして受け、貫通穴から受け入れ路を通じサーバー内に流入する。結果、蓋側常閉弁の凸部と常閉弁の受動部とは、互いを持ち上げ分力および押し下げ分力によって上下に押し退け合い常閉弁双方を開くだけの押動代を有して上下に対向し合い、サーバーなどの抜き差し時に常閉弁が凸部の進入、退避に応動するようになっている。
【０００５】
サーバー側の注出弁は、サーバー側の取っ手の上部に操作部が延びる操作レバーによって開くことができ、取っ手を把持して持ち上げ開き操作しながら飲料を注ぐことができる。サーバーは、金属製の真空二重容器による高い真空断熱性にて受け入れた飲料を長時間保温でき、電気的なウォーマーによる場合のように飲料を経時的に煮詰めるような問題を回避できる。
【先行技術文献】
【特許文献】
【０００６】
【特許文献１】特許第３７０３７３９号公報
【特許文献２】特開２００８−１６８９１１号広報
【発明の概要】
【発明が解決しようとする課題】
【０００７】
しかし、特許文献１、２に開示の技術は、ドリッパー側の受動部とサーバーの蓋側の凸部とは、サーバーの差し入れ、引き出しに際しドリッパー弁、または、ドリッパー弁およびサーバー弁双方を、押し開く上下の押動代を有して当接し合うので、球面どうしによる滑りはあるものの、引っ掛かり感があって、差し入れ位置や向きの関係、付着飲料の影響などでスムーズに行かない場合がある。特に、特許文献２に開示のものでは、ドリッパー側の受動部とサーバーの蓋側の凸部との上下の押動代による引っ掛かり量が、ドリッパー弁およびサーバー弁双方を押し開くために、特許文献１に記載のものの場合に比し倍加するので、強い引っ掛かり合いが抜き差し操作に影響する。しかも、ドリッパーは、底部に受動部が露出する常閉弁を保護するなどのために、受動部のまわりを囲う周壁を設けようとすると、受動部と周壁との間の窪みに蓋側の凸部が引っ掛かり、凸部の周壁下端との引っ掛かりが特に強く、サーバーが抜き差しし難くなる。
【０００８】
本発明は、このような問題に鑑み、サーバーを抜き差しする際の蓋側の凸部に対する引っ掛かりを軽減できる常閉弁を持った飲料の抽出用のドリッパーとこれを用いた飲料自動抽出器を提供することを目的とする。
【課題を解決するための手段】
【０００９】
本発明の飲料の抽出用のドリッパーは、収容した飲料の抽出材にドリッピング位置にてドリッピングを受け飲料を抽出し、抽出した飲料を自身の下に差し入れられるサーバーに流出口から流出させるドリッパーであって、前記サーバーの差し入れ時その蓋側の凸部に、受動部が引っ掛かり合って押し上げ分力を受け上方に押し開かれる常閉のドリッパー弁を有し、このドリッパー弁は、その受動部での前記凸部との押し上げ分力を伴う引っ掛かりによりサーバーの差し入れ方向側上向きに傾動するようにしたことを１つの特徴としている。
【００１０】
このような構成では、ドリッパーは、ドリッピング位置にて、収容している飲料の抽出材にドリッピングを受けることで飲料を抽出するが、自身の下にサーバーが差し入れられてその蓋の凸部にて流出口にある常閉のドリッパー弁が上方に押し開かれていることを条件に、抽出した飲料を、流出口を通じサーバー内に流出させられる。ドリッパー弁は、特に、ドリッパーの下にサーバーが側方から差し入れられて、サーバーの蓋側の凸部に受動部が引っ掛かり合いながら押し上げ分力を受けて押し開かれる際、この押し上げ分力を伴う引っ掛かり合いによりサーバーの差し入れ方向側上向きに傾動させられるので、蓋側の凸部との引っ掛かり合いを早期に軽減ないしは回避させられる。
【００１１】
本発明の飲料の抽出用のドリッパーは、また、収容した飲料の抽出材にドリッピング位置にてドリッピングを受け飲料を抽出し、抽出した飲料を自身の下に差し入れられるサーバーに流出口から流出させるドリッパーであって、前記サーバーの差し入れ時その蓋側の凸部に、受動部が引っ掛かり合って押し上げ分力を受け上方に押し開かれる常閉のドリッパー弁を有し、このドリッパー弁は、その受動部での前記凸部との押し上げ分力を伴う引っ掛かりによりサーバーの差し入れ方向側上向きに傾動するようにし、受動部を囲う底部周壁の下端および受動部の少なくとも一方を自立するように載置する接地部としたことを別の特徴としている。
【００１２】
このような構成では、ドリッパーは、ドリッピング位置にて、収容している飲料の抽出材にドリッピングを受けることで飲料を抽出するが、自身の下にサーバーが差し入れられてその蓋の凸部にて流出口にある常閉のドリッパー弁が上方に押し開かれていることを条件に、抽出した飲料を、流出口を通じサーバー内に流出させられる。ドリッパー弁は、特に、ドリッパーの下にサーバーが側方から差し入れられて、サーバーの蓋側の凸部に受動部が引っ掛かり合いながら押し上げ分力を受けることにより押し開かれる際、この押し上げ分力を伴う引っ掛かり合いによりサーバーの差し入れ方向側上向きに傾動させられて、凸部との引っ掛かり合いを早期に軽減ないしは回避させられる。また、ドリッパー弁の受動部がサーバーの蓋側の凸部との引っ掛かり合いのためにドリッパーの底部流出口下に露出しているところ、これを囲う底部周壁があることによって取り扱い時にまわりと干渉するなどして不用意な外力を受けることから保護できるし、この底部周壁および受動部の少なくとも一方がなす接地部にて自立状態に着座させられる。
【００１３】
本発明の飲料自動抽出器は、給水タンクと、この給水タンク内の水を導入して加熱し吐出口へと一方通行で送り吐出する給湯手段とを装備した器体と、この器体の上部の前記吐出口が下向きに開口しているドリッピング部の下に装着されて、収容している飲料の抽出材に吐出口から湯のドリッピングを受け飲料を抽出し流出口から流出させるドリッパーと、このドリッパーの下に差し入れられてドリッパーからの飲料を受け入れるサーバーと、サーバーの開口に着脱できるように装着されて、サーバー内の飲料を外部に注出する注出路と、この注出路を開閉する常閉の注出弁およびこれを外部操作する操作手段と、ドリッパーからの飲料を受けてサーバー内に流入させる受け入れ路と、この受け入れ路上に突出する受動凸部を有して受け入れ路を開閉する常閉のサーバー弁とが設けられた蓋と、を備え、ドリッパーは、サーバーの差し入れ時その蓋上に突出した受動凸部に、受動部が引っ掛かり合って互いに上下に押し退け合う押し退け分力を受け上方に押し開かれる常閉のドリッパー弁を有し、このドリッパー弁は、その受動部での前記受動凸部との押し退け分力を伴う引っ掛かりによりサーバーの差し入れ方向側上向きに傾動するようにしたことを特徴している。
【００１４】
このような構成では、ドリッパーは、器体のドリッピング部に装着されて、収容している飲料の抽出材に器体側の給水タンクから給湯手段を経て吐出口から吐出される湯のドリッピングを受けることで飲料を抽出するが、自身の下にサーバーが差し入れられてその蓋の受動凸部と引っ掛かり合い互いを上下に押し退け合って流出口にある常閉のドリッパー弁が上方に押し開かれ、蓋にある常閉のサーバー弁が下方に押し開かれていることを条件に、抽出した飲料を、ドリッパーの流出口から流出させ、蓋の受け入れ路を通じサーバー内に流入させられる。ドリッパー弁は、特に、サーバーが側方から差し入れられて自身の受動部がサーバー弁の受動凸部と引っ掛かり合って互いを押し退け合う押し退け分力によって押し開かれる際、これら押し退け分力を伴う引っ掛かり合いによりサーバーの差し入れ方向側上向きに傾動されるので、受動凸部との引っ掛かり合いを早期に軽減ないしは回避させられる。飲料を受け入れたサーバーを引き出すと蓋側の受動凸部およびドリッパー側の受動部は互いの押し退け合いから解放されてサーバー弁およびドリッパー弁共に自閉し、サーバーは操作手段によって注出弁を開くことで注出路を通じ飲料を外部に注出できる。
【発明の効果】
【００１５】
本発明の、飲料の抽出用のドリッパーの１つの特徴によれば、ドリッピング位置にて、ドリッピングを受けることで飲料を抽出し、自身の下にサーバーが差し入れられてその蓋の凸部にて常閉のドリッパー弁が押し開かれていることを条件に、抽出した飲料を流出口からサーバー内に流出させられるが、ドリッパー弁は押し開かれる過程で、押し上げ分力を伴う蓋の凸部との引っ掛かり合いにより受動部と共に、サーバーの差し入れ方向側上向きに傾動させられて、蓋側の凸部との引っ掛かり合いを早期に軽減ないしは回避させられるので、引っ掛かり合いが軽減されまたは回避される度合いに応じサーバーはスムーズに所定位置まで差し入れられ、ドリッパー弁を押し開いて保持することができ、使用しやすいものとなる。また、逆の挙動にてサーバーをドリッパーの下からスムーズに抜き出し、ドリッパー弁を凸部による押し開きから解放して自閉させられる。
【００１６】
本発明の、飲料の抽出用のドリッパーの別の特徴によれば、１つの特徴の場合に加え、さらに、ドリッパー弁の受動部がサーバーの蓋側の凸部との引っ掛かり合いのためにドリッパーの底部流出口下に露出しているのを底部周壁に囲われて不用意な外力を受けることから保護されるので、ドリッパー弁の耐久性が向上するし、この底部周壁および受動部の少なくとも一方がなす接地部にて、構造の複雑化なしに自立状態に着座させられ、フィルターを嵌め込み、抽出材を投入するのに便利であるし、そのままどこにでも置ける利点がある。
【００１７】
本発明の飲料自動抽出器によれば、ドリッパーは、器体のドリッピング部に装着されて器体側の給水タンクから給湯手段を経た湯を吐出口からドリッピングを受けて飲料を抽出するが、自身の下にサーバーが差し入れられてドリッパー弁の受動部とサーバー弁の受動凸部とが引っ掛かり合い互いを上下に押し退け合って常閉のドリッパー弁およびサーバー弁が共に押し開かれていることを条件に、抽出した飲料を、ドリッパーの流出口、蓋の受け口、注出路を通じサーバー内に流入させられる。飲料を受け入れたサーバーがドリッパーの下から引き出されると、ドリッパー弁およびサーバー弁は互いの押し退け合いから解放されて自閉するので、ドリッパーに残留飲料があっても漏れ出るのを防止し、サーバーが転倒しても受け入れている飲料が漏れ出るのを防止することができる。しかも、ドリッパー弁は、特に、サーバーが側方から差し入れられて押し開かれる過程で、自身の受動部とサーバー弁の受動凸部との互いを押し退ける分力を伴う引っ掛かり合いによりサーバーの差し入れ方向側上向きに傾動されて、受動凸部との引っ掛かり合いを早期に軽減ないしは回避させるので、引っ掛かり合いが軽減されまたは回避される度合いに応じサーバーはスムーズに所定位置まで差し入れられ、ドリッパー弁を押し開いて保持することができ、使用しやすいものとなる。
【図面の簡単な説明】
【００１８】
【図１】本発明の実施の形態に係るドリッパーの１つの具体例を着座状態で示す断面図。
【図２】同ドリッパーの使用状態、および同ドリッパーを用いた飲料自動抽出器の１つの具体例をサーバーの差し入れ途中の状態で示す断面図。
【図３】同ドリッパーの使用状態、および同ドリッパーを用いた飲料自動抽出器の１つの具体例をサーバーの所定位置への差し入れ状態で示す断面図。
【図４】図３でのドリッパー弁およびその受動部とサーバー弁の受動凸部との関係を示す一部の断面図である。
【図５】サーバー弁と操作手段との連結構造を示す横断平面図。
【発明を実施するための形態】
【００１９】
本発明の実施の形態に係る飲料の抽出用のドリッパーとこれを用いた飲料自動抽出器の１つの具体例につき、図１〜図５を参照しながら説明し、本発明の理解に供する。以下の説明は本発明の具体例であって、特許請求の範囲の記載事項を限定するものではない。
【００２０】
本実施の形態に係る図１に示すドリッパー１００は、収容した飲料の抽出材に図２、図３に示すドリッピング位置にてドリッピングを受け飲料を抽出し、抽出した飲料を自身の下に図２に示す途中状態を経て図３に矢印Ａで示す方向に差し入れられるサーバー２００に流出口３から流出させるが、サーバー２００の差し入れ時その蓋３００側の凸部５に、受動部６が矢印Ａの方向に引っ掛かり合って押し上げ分力Ｂを受け上方に押し開かれる常閉のドリッパー弁７を有している。このドリッパー弁７は、特に、その受動部６での前記凸部５との押し上げ分力を伴う矢印Ａ方向での引っ掛かりにより矢印Ｃで示すサーバー２００の差し入れ方向側上向きに傾動するようにしている。
【００２１】
これにより、ドリッパー１００は、ドリッピング位置にて、収容している飲料の抽出材にドリッピングを受けることで飲料を抽出するが、自身の下にサーバー２００が矢印Ａで示す方向に差し入れられてその蓋３００の凸部５にて流出口３にある常閉のドリッパー弁７が上方に押し開かれていることを条件に、抽出した飲料を、流出口３を通じサーバー２００内に流出させられる。ドリッパー弁７は、特に、ドリッパー１００の下にサーバー２００が側方から差し入れられて、サーバー２００の蓋３００側の凸部５に受動部６が矢印Ａで示す方向に引っ掛かり合いながら押し上げ分力Ｂを受けて押し開かれる際、この押し上げ分力Ｂを伴う引っ掛かり合いにより矢印Ｃで示すサーバー２００の差し入れ方向側上向きに傾動させられるので、蓋３００側の凸部５との引っ掛かり合いを早期に軽減ないしは回避させられる。
【００２２】
この結果、ドリッピング位置にあるドリッパー１００は、ドリッピングを受けて飲料を抽出し、自身の下にサーバー２００が差し入れられてその蓋３００の凸部５にて常閉のドリッパー弁７が押し開かれていることを条件に、抽出した飲料を流出口３からサーバー２００内に流出させられるが、ドリッパー弁７は押し開かれる過程で、押し上げ分力Ｃを伴う蓋３００の凸部５との矢印Ａで示す方向での引っ掛かり合いにより受動部６と共に、サーバー２００の矢印Ｂで示す差し入れ方向側上向きに傾動させられて、蓋３００側の凸部５との引っ掛かり合いを早期に軽減ないしは回避させられるので、引っ掛かり合いが軽減されまたは回避される度合いに応じサーバー２００はスムーズに所定位置まで差し入れられ、ドリッパー弁７を押し開いて保持することができ、使用しやすいものとなる。また、逆の挙動にてサーバー２００をドリッパー１００の下からスムーズに抜き出し、ドリッパー弁７を凸部５による押し開きから解放して自閉させられる。
【００２３】
ここで、サーバー２００の側方からの差し込み時に蓋３００の凸部５によって受動部６を介し押し開かれる常閉のドリッパー弁７は、下動習性をもって閉じ状態を維持することが必須となる。それには、自重によることもできるが、本例ではドリッパー弁７の弁体７ａと受動部６とを繋ぐ弁棒７ｂのまわりで、受動部６とドリッパー１００の底部との間にばね、具体的にはコイルスプリング９を働かせて下動習性を与えている。ドリッパー１００の流出口３は、ドリッパー１００の底部に開口し、この流出口３を弁棒７ｂが貫通して弁棒７ｂの上端部外周の溝部に弾性的に装着して保持した弁体７ａが流出口３の上に位置し、流出口３の口縁から立ち上がる筒状の弁座７ｃに上方から対向し、コイルスプリング９による下動習性にて弁体７ａが弁座７ｃに圧着してドリッパー弁７は落ち着き、流出口３を密閉する状態に安定する。
【００２４】
また、受動部６と凸部５との間の矢印Ａ方向の引っ掛かり合いによる押し上げ分力Ｂは、図示例では下に凸の球面とした受動部６と上に凸の球面であるドーム状とした凸部５との押し上げ代を有した矢印Ａでの引っ掛かり合いによって生じるようにしている。このような球面どうしの引っ掛かり合いによれば、サーバー２００の差し入れが矢印Ａ方向を含むどの方向から行われてもよい。しかし、サーバー２００に取っ手１１を設けるのが一般的で、取っ手１１を手前にして片手で把持し前に差し出すようにしてドリッパー１００の下に差し入れ、また抜き出す操作が自然で、抜き差し方向が矢印Ａ方向に特定しても使用に不便はない。このように抜き差し方向が矢印Ａ方向に特定する場合、凸部５および受動部６の曲面は少なくとも矢印Ａ方向にだけ形成されればよいし、特定方向での、曲面と平面または斜面、斜面と平面の組み合わせなどとすることもできる。もっとも、押し開かれたドリッパー弁７が閉じ状態に復帰する下動習性によって、ドリッパー１００とサーバー２００とが所定のドリッピング位置、差し入れ位置に安定するのを防止する配慮は必要である。しかし、実際上は、ドリッパー弁７に必要な下動習性力は小さくてよくそのような心配は不要である。
【００２５】
ドリッパー弁７は、受動部６の下面が球面としていることに対応して、弁座７ｃの下端まわりに広がる椀状に形成して、流出口３から流出する飲料が受動部６の弁座７ｃと繋がる中央部に集まらせ、弁座７ｃまわりに弁座７ｃと受動部６とを周方向的数か所、具体的には３か所で連結する連結リブ６ａ間に飲料を流下させる流下口６ｂを形成して、ドリッパー１００から流出する飲料を限られた範囲に広がりを制限してサーバー２００側に流下させるようにしている。流出口３は流下口６ｂよりも小さくその開口縁に水切りリブ３ｂを設けて流出飲料の広がりを抑えながら、その外まわりに流出飲料のさらなる広がりを防止する水切りリブ３ｂよりも長く下方に垂下する広がり制限リブ３ｃを形成して、流出飲料が受動部６の外周まわりに万一にも及んで溢れ出るのを回避するようにしている。
【００２６】
ドリッパー弁７の、サーバー２００の差し込み時に、蓋３００側の凸部５との矢印Ａ方向での引っ掛かりと押し上げ分力Ｂとを受けて、矢印Ｃで示すサーバー２００の差し込み方向側上向きに傾動する動きは、傾動中心を支持軸や瞬間移動中心を満足させて与えて行わせ、開閉ストローク上平行移動域が必要な場合はその範囲で支持軸が移動するようにして対応できる。しかし、それでは、軸支構造が必要であるし、場合によっては平行移動域に対応する軸移動構造も必要になる。また、軸支ではドリッパー弁７に対する拘束性が高く、弁座７ｃとの閉じ条件がシビアになりすぎる不便がある。これらを回避するのに図示例では、図１〜図４に示すように、ドリッパー弁７をその受動部６に対する外まわりからの案内面１４の案内によって、所定の開閉動作域への安定を図りながら、矢印Ａとは反対の反差し入れ方向側案内面１４の途中に受動部６を押し上げ当初または途中で受け止めて、図示例では押し上げ当初から受け止めてドリッパー弁７が傾動するための、つまりflap動作するための支点１５を与える段部１４ａを形成してある。これにより、ドリッパー弁７は、蓋３００側の凸部５との押し上げ分力Ｂを伴う矢印Ａでの引っ掛かり合いによって、受動部６の案内面１４の段部１４ａへの当接位置を支点１５として、受動部６を伴い矢印Ｃの差し入れ方向側上向きに傾動させられて、受動部６の反支点１５側が図２に示すようにドリッパー１００の底部に当接して最大開き位置に安定する。
【００２７】
また、ドリッパー１００は、上記に加え、さらに、ドリッパー弁７の受動部６を底部下まわりで囲う底部周壁８を有し、この底部周壁８の下端および受動部６の少なくとも一方を、ドリッパー１００が図１に示すようにテーブル面１２などに自立できるように載置する接地部１３としている。これにより、ドリッパー１００は、ドリッパー弁７の受動部６がサーバーの蓋３００側の凸部５との引っ掛かり合いのためにドリッパー１００の底部流出口３の下に露出しているところ、これを囲う底部周壁８があることによって取り扱い時にまわりと干渉するなどして不用意な外力を受けることから保護できるし、この底部周壁８および受動部６の少なくとも一方がなす接地部１３にてドリッパー１００を自立状態に着座させられる。従って、フィルターを嵌め込み、抽出材を投入するのに便利であるし、そのままどこにでも置ける利点があり、使い勝手が格段によくなる。
【００２８】
さらに、図１に示すように、ドリッパー１００は、受動部６及び底部周壁８の周方向一部が接地部１３をなし、受動部６の中心がドリッパー１００の、例えばフィルター底部の直線方向に沿う長手方向を利用するなどして、底部周壁８の中心に対し底部周壁８の反接地部１３側に難なく偏心するようにしている。これにより、ドリッパー１００が受動部６と底部周壁８の周方向一部とを接地部１３として着座し自立するのに、受動部６の中心が底部周壁８の中心に対する底部周壁８の反接地部１３側への偏心により、同じ大きさの底部域において受動部６と底部周壁８との接地部１３間の距離が、それらが同心の場合よりも大きく、着座域を拡張できる。また、底部周壁８の下端がドリッパー１００の軸心に直角で、受動部６の接地部１３となる中央低位部が底部周壁８の下端よりも少し下方に突出している図１に示す関係から、受動部６の中央低位部で接地した載置状態でのドリッパー１００の重量バランス上、ドリッパー１００がそれに一体設けた取っ手７１側に傾く。そこで、底部周壁８の接地部１３はその周方向の取っ手７１側部分としてあり、ドリッパーをテーブル面１２などに着座させると、受動部６の中央低位部および底部周壁８の取っ手７１側部分が自然と接地部１３となって安定する。この２つの接地部１３はドリッパー１００の底部の長手方向に並んで、同方向に安定させるのに好適であるが、テーブル面１２などに対し点接触となるので、前記長手方向に直交する左右方向にはドリッパー１００の左右対称な形状による重量バランスで安定することになる。これを重量バランスによらず安定させるには、受動部６をドリッパー１００に対しサーバー２００が抜き差しされる方向に一致させた、ドリッパー１００の底部の長手方向にだけ、湾曲ないしは傾斜し、左右方向にはストレートな形状となるようにすれば、左右方向に線接触してドリッパー１００を左右方向にも機械的に安定させられる。なお、取っ手７１はドリッパー１００に一体形成しているが、取っ手７１のドリッパー１００との上下の連結アーム間に、ドリッパー１００の周壁との間に安全隙間を確保した保護フレーム７１ａをも一体成形して、取っ手７１を把持した手がドリッパー１００に触れるのを防止している。これにより、飲料を抽出した直後のドリッパー１００を取っ手７１で把持して取り外し取り扱う場合など、高温のドリッパー１００に手が触れて熱い思いをするようなことを回避できる。保護フレーム７１ａの存在は取っ手７１に加え、ドリッパー１００を載置状態で底部長手方向に安定させるのに寄与する。
【００２９】
案内面１４と段部１４ａは、底部周壁８の内周に内側に向け張り出させた多数のリブ１４ｂによって形成しており、受動部６の反支点１５側はドリッパー１００の底部に当接して最大開き位置となっているが、案内面１４の反支点１５側に形成した、前記段部１４ａよりも低い段部、に当接して傾動した最大開き位置となるようにすることもできる。図示例の段部１４ａを形成していない反支点１５側のリブ１４ｂによる案内面１４は、受動部６の反支点１５側に摺接して受動部６が支点１５まわりに傾動して最大開き位置となる動きを案内し、受動部６が案内面１４との間で拗れるのを防止し、スムーズに開閉するようになっている。流出口３はドリッパー弁７のそのような傾動を許容するのに、流出口３を貫通している弁棒７ｂとの間に遊びを持つが、弁棒７ｂを横断面を十字などとするリブ７ｄを形成して、流出口３と弁棒７ｂとの遊びが小さくても過不足ない流量で飲料が流出できるようにしている。コイルスプリング９は、ドリッパー１００底部の制限リブ３ｃ繋がり部内まわりと、受動部６の弁棒７ｂ繋がり部外まわりとの間で働く逆円錐状に形成したものとしてあり、これによって、受動部６およびこれを持ったドリッパー弁７を流出口３との同心位置に復帰させる求心性を発揮するし、コイルスプリング９のドリッパー１００の底部側への当接位置と、受動部６側への当接位置が不変となるので、ドリッパー弁７の開閉動作が安定する。
【００３０】
さらに、受動部６と底部周壁８との間に受動凸部５が引っ掛かってサーバー２００を抜き差しし難くすることにつき、案内面１４を形成するリブ１４ｂを底部周壁８の内面から受動部６の近傍まで張り出すようにしている。これにより、底部周壁８に対する受動部６の偏心によって相互距離が大きくなる底部周壁８の取っ手７１側の接地部１３と受動部６との間でも受動凸部５が相互間に入り込んで引っ掛かるのを防止できる。
【００３１】
図２、図３に示す上記のようなドリッパー１００を用いる飲料自動抽出器４００は、給水タンク２１と、この給水タンク２１内の水を図示しない逆止弁を介しヒータ２２ｂに導入して加熱し吐出口２２ａへと一方通行で送り吐出するいわゆる瞬間湯沸かしタイプの給湯手段２２とを装備した器体５００と、この器体５００の上部の前記吐出口２２ａが下向きに開口しているドリッピング部２３の下に装着されて、収容している飲料の抽出材に吐出口２２ａから湯のドリッピングを受け飲料を抽出し流出口３から流出させるドリッパー１００と、このドリッパー１００の下に差し入れられてドリッパー１００からの飲料を受け入れるサーバー２００と、サーバー２００の開口２４に着脱できるように装着されて、サーバー２００内の飲料を外部に注出する注出路２５と、この注出路２５を開閉する常閉の注出弁２７およびこれを外部操作する操作手段２８と、ドリッパー１００からの飲料を受けてサーバー２００内に流入させる受け入れ路２９と、この受け入れ路２９上に突出する前記凸部５を受動部である受動凸部５として有して受け入れ路２９を開閉する常閉のサーバー弁３１とが設けられた蓋３００と、を備え、ドリッパー１００は、サーバー２００の差し入れ時その蓋３００上に突出した受動凸部５に、受動部６が引っ掛かり合って互いに上下に押し退け合う押し退け分力を受け上方に押し開かれる常閉のドリッパー弁７を有し、このドリッパー弁７は、その受動部６での前記受動凸部５との押し退け分力Ｂを伴う引っ掛かりにより矢印Ｃで示すサーバー２００の差し入れ方向側上向きに傾動するようにしている。
【００３２】
これにより、ドリッパー１００は、器体５００のドリッピング部２３に装着されて、収容している飲料の抽出材に器体５００側の給水タンク２１から給湯手段２２を経て吐出口２２ａから吐出される湯のドリッピングを受けることで飲料を抽出するが、自身の下にサーバー２００が差し入れられてその蓋３００の受動凸部５と引っ掛かり合い互いを上下に押し退け合って流出口３にある常閉のドリッパー弁７が上方に押し開かれ、蓋３００にある常閉のサーバー弁３１が下方に押し開かれていることを条件に、抽出した飲料を、ドリッパー１００の流出口３から流出させ、蓋３００の受け入れ路２９を通じサーバー２００内に流入させられる。ドリッパー弁７は、特に、サーバー２００が側方から差し入れられて自身の受動部６がサーバー弁３１の受動凸部５と引っ掛かり合って互いを押し退け合う押し退け分力Ｂ、Ｄによって押し開かれる際、これら押し退け分力Ｂ、Ｄを伴う引っ掛かり合いによりサーバー２００の差し入れ方向側上向きに傾動されるので、受動凸部５との引っ掛かり合いを早期に軽減ないしは回避させられる。飲料を受け入れたサーバー２００を引き出すと蓋３００側の受動凸部５およびドリッパー１００側の受動部６は互いの押し退け合いから解放されてサーバー弁３１およびドリッパー弁７共に自閉し、サーバー２００は操作手段２８によって注出弁２７を開くことで注出路２５を通じ飲料を外部に注出できる。
【００３３】
この結果、ドリッパー１００は、器体５００のドリッピング部２３に装着されて器体５００側の給水タンク２１から給湯手段２２を経た湯を吐出口２２ａからドリッピングを受けて飲料を抽出するが、自身の下にサーバー２００が差し入れられてドリッパー弁７の受動部６とサーバー弁３１の受動凸部５とが引っ掛かり合い互いを上下に押し退け合って常閉のドリッパー弁７およびサーバー弁３１が共に押し開かれていることを条件に、抽出した飲料を、ドリッパー１００の流出口、蓋３００の受け入れ路２９を通じサーバー２００内に流入させられる。飲料を受け入れたサーバー２００がドリッパー１００の下から引き出されると、ドリッパー弁７およびサーバー弁３１は互いの押し退け合いから解放されて自閉するので、ドリッパー１００に残留飲料があっても漏れ出るのを防止し、サーバー２００が転倒しても受け入れている飲料が漏れ出るのを防止することができる。しかも、ドリッパー弁７は、特に、サーバー２００が側方から差し入れられて押し開かれる過程で、自身の受動部６とサーバー弁３１の受動凸部５との互いを押し退ける分力Ｂ、Ｄを伴う引っ掛かり合いによりサーバー２００の矢印Ｃで示す差し入れ方向側上向きに傾動されて、受動凸部５との引っ掛かり合いを早期に軽減ないしは回避させるので、引っ掛かり合いが軽減されまたは回避される度合いに応じサーバー２００はスムーズに所定位置まで差し入れられ、ドリッパー弁７を押し開いて保持することができ、使用しやすいものとなる。
【００３４】
ここで、受け入れ路２９は、蓋３００上端に形成した受動部６よりも若干大きな径とした、下に凸の受皿部３２の底部に繋がってサーバー２００内にストレートに開口している。サーバー弁３１はこの受け入れ路２９の下端の開口部２９ａを下方から開閉する弁体３３を有し、受け入れ路２９の蓋３００の受皿部３２への開口部２９ｂ上に突出する受動凸部５と弁棒３５を介し連動する弁体３３とを有し、受け入れ路２９を弁棒３５を開口部２５ｂから開口部２５ａ下方へ縦通し、弁棒３５の下端部の外周溝に前記弁体３３を弾性的に装着してある。弁棒３５は、受け入れ路２９内周の上下２か所に飲料の流下を妨げないようブリッジ連結した軸受部３６、３７によって上下摺動できるように支持し、常閉機能のために下方の軸受部３７と弁棒３５の途中のフランジ部３５ａとの間にばね、具体的にはコイルスプリング３８を働かせて上動習性を与え、弁体３３を開口部２５ａに下方から圧接させて閉じ、その状態を維持するようにしている。サーバー弁３１の受動凸部５は、ドーム形状頭部５ａを有しこれが弁棒３５に繋がり、弁体３３の開閉に伴い受け入れ路２９の上方の軸受部３６より上の開口部２５ｂ側域で上下動するようにしている。
【００３５】
ところで、ドリッパー弁７は、図２に示すようにサーバー２００の所定位置手前への差し入れ状態で、サーバー弁３１に先んじて傾動した最大開き位置となり、サーバー弁３１は、サーバー２００のそれ以上の図３に示す所定位置までのサーバー弁３１の差し入れによって、受動凸部５が、ドリッパー弁７の最大開き位置受動部６に対応した上動限界にある受動部６により押し下げられることで、最大開き位置となるようにしている。このような関係は、ドリッパー弁７のコイルスプリング９のばね力をサーバー弁３１のコイルスプリング３８のばね力よりも弱くすることで実現する。これにより、サーバー２００を図２の所定位置手前から図３の所定位置にまで差し入れて、サーバー弁３１を最大開き位置にするのに、受動部６の傾動によって下方への押動代が軽減された条件下で所定位置まで引っ掛かり合い少なくスムーズに差し入れられる。しかも、受け入れ路２９のサーバー弁３１による閉止力を高められ、サーバー２００の転倒時の受け入れ路２９を通じた飲料の漏れ出し防止機能を高められる。もっともこれに限られることはなく、ばね力の強弱を逆にすることもできる。
【００３６】
上記のようなドリッパー１００の取っ手７１を把持しての取り扱い上、器体５００の上部から手前側に張り出したドリッピング部２３の下面に、平面視して手前側に開放した馬蹄形に形成されたガイド溝４１に、ドリッパー１００の上端のフランジ４２を反取っ手７１側から抜き差しするようにしてあり、装着状態はフランジ４２の左右の切り欠き４２ａとガイド溝４１の左右の凸部４１ａとが弾性係合することで保持され、ドリッパー１００の抜き出しは切り欠き４２ａと凸部４１ａと係合を弾性的に解除して行う。よって、ドリッパー１００の抜き差しには切り欠き４２ａと凸部４１ａとの弾性的な係脱によるクリック感が伴う。器体５００の下部にはドリッピング部２３に対向した定置部４３を有し、この定置部４３上の窪み部４３ａ内にサーバー２００を受け入れて、サーバー２００を図３に示すように所定の差し入れ位置に安定させられるようにしている。しかし、この窪み部４３ａの窪み量は微小でサーバー２００の抜き差し時の受動凸部５および受動部６間の相互の押し退け合い及びその解除と、これによるドリッパー弁７およびサーバー弁３１の押し開きおよび自閉に影響を与えることはない。
【００３７】
サーバー２００は、ステンレス鋼製の真空二重容器としてあり、底部に樹脂製の保護カバー４４を無理嵌めして装着し、口部２４にはそれに上方から被さる樹脂製の肩部材４６を無理嵌めして装着し、片口４７ａを持った開口４７を形成している。蓋３００は、開口４７に周壁がねじ嵌合して着脱できるように装着される栓部５０と、この栓部５０の周壁上端にその周方向数か所の切りこみによる弾性を利用した着脱できるように周壁が無理嵌めされたカバー部５２とを有し、栓部５０にその底部のサーバー２００内への開口部２５ａから立ち上がって後片口４７ａに向け屈曲して片口４７ａに繋がる注出路２５を周壁の片口４７ａ側内部に形成し、底部中央から立ち上がる筒状の弁ガイド５３に、開口部２５ａを下方から開閉する注出弁２７の弁棒６１を上下動できるように下方から上方に貫通させている。弁棒６１は中空筒で、受け入れ路２９の上方の軸受部３６から下の下半部２９ｃを兼用している。
【００３８】
一方、蓋３００のカバー部５２は、受け入れ路２９の軸受部３６を含む上半部２９ｄを一体に形成しており、この上半部２９ｄの外周りにラフに嵌り合う貫通窓５１ａを途中に持った操作レバー５１を配して、その一端の操作部５１ｂがサーバー２００の肩部材４６に一体形成された取っ手１１の上に位置するようにし、操作レバー５１の他端部を栓部５０の上端の反取っ手１１側の左右位置に設けた軸受片５０ａに自身の両側に突出する軸５１ｃによって軸支している。併せ、操作レバー５１を軸５１ｃまわりに装備した蔓巻きばね５４によって操作部５１ｂが上動する側に付勢している。その上で、注出弁２７の弁体６２の中央部から上方へ延びる弁棒６１の上端に設けた二股片６１ａ、６１ａを、図５に示すように操作レバー５１の貫通窓５１ａに、その内周の係合ピン５１ｄに邪魔されない位置にて下方から嵌め合わせた後、弁体６２部にて係合ピン５１ｄ側に矢印Ｅの方向に回動させることで、二股片６１ａ、６１ａの弾性を利用し係合ピン５１ｄをカム面６１ｂに滑り上がらせながら係合穴６１ｃに弾性係合させて連結し、注出弁２７の弁体６２に上動付勢力を及ぼして常閉とし、操作レバー５１を蔓巻きばね５４に抗し操作部５１ｂにより下動させることでサーバー弁３１を下方に押し開く既述の操作手段２８を構成している。
【００３９】
なお、注出弁２７により注出路２５の開口部２５ａを閉じるのに、弁体６２の外周にシールパッキン５５を装着して、栓部５０の開口部２５ａを囲う底部外周部に圧接させて、間接的に閉止するようにしている。栓部５０の底部外周にもシールパッキン５６を装着してサーバー２００の口部４５の内周ネッキング部に圧着して、栓部５０の口部４５との間に飲料が入り込まないようにしている。弁棒６１の外周にもシールパッキン５７を装着して弁ガイド５３との間から飲料が外部に漏れ出るのを防止するようにしている。
【００４０】
注出弁２７の閉止時、図１、図２に示すように弁棒６１が形成する受け入れ路２９の下半部２９ａの上端は、カバー部５２が形成する受け入れ路２９の上半部２９ｂの下端と若干嵌り合うなどして互いが１つの受け入れ路２９に繋がる位置関係を保ち、ドリッパー１００側からの飲料を受け入れて、漏れなくサーバー２００内に流入させられる。これに対し注出弁２７が下方に押し開かれると下半部２９ａと上半部２９ｂとの繋がりはなくなるが、この状態で飲料が通ることはないので問題にはならない。このような受け入れ路２９の下半部２９ｃと上半部２９ｄとの分割構造に併せ、ドリッパー弁３１の弁棒３５も、コイルスプリング３８を働かせた下半部３５ｃと、これに自重で連動する上半部３５ｄとに分割し、受け入れ路２９の対応する下半部２９ｃと上半部２９ｄとに個別に装備している。
【００４１】
そこで、受け入れ路２９の下半部２９ｃは、軸受部３７に弁棒３５の下半部３５ｃを上方から挿入し、軸受部３７の下に突出した下半部３５ｃの下端部に軸受部３７の軸受穴よりも大径の弁体３３を弾性的に装着することで、抜け止めを兼ねるようにしている。これにより、弁体３３を取り外せば注出弁２７と弁棒３５の下半部３５ｃを分離できる。また、受け入れ路２９の上半部２９ｄは、弁棒３５の上半部３５ｄにおける受動凸部５の下に二股軸を軸受部３６に上方から差し込み、それらの弾性変形を利用して抜け止め凸部が軸受部３６の軸受穴をその仮面口縁側に潜って弾性係合し抜け止めするようにしている。この弾性係合による抜け止めは弁棒３５の上半部３５ｄを上方へ引き抜くことで解除でき、上半部２９ｄと上半部３５ｄとも分解できる。栓部５０とカバー部５２との分解、注出弁２７の操作レバー５１からの分離を含め、栓部５０には操作レバー５１が軸支されたままではあるが、全ての部材を丸洗いでき、コーヒーなど汚れが残りやすい飲料を取り扱うのに好適である。さらに、弁棒３５の上半部３５ｄの受動凸部５を持った受け入れ路２９の上半部２９ｄと嵌め合う頭部３５ｅは、図４に示すように、外周にリブ３５ｆを有して上半部２９ｄとの間に飲料の流下通路を確保した上で、リブ３５ｆに形成した下向きの段部３５ｇが２９ｂの口縁に当接して、閉止したドリッパー弁７の押し下げによるサーバー弁３１の最大開口位置を規制され、サーバー２００の所定位置への差し入れによる、ドリッパー弁７およびサーバー弁３１の最大開き位置が変動しないようにしている。これにより、ドリッパー１００からの飲料の流出、サーバー２００への流入が損なわれることはない。以上のような、抽出した飲料の、サーバーからの流出経路構造上、蓋を通じたサーバー内への流入経路構造上、飲料の流れがスムーズであり、おいしいコーヒーの抽出時間として、ヨーロッパコーヒーブリューイングセンター（ＥＣＢＣ）が推奨している４〜６分を容易に実現できる。
【産業上の利用可能性】
【００４２】
本発明は、ドリッパーが有した常閉のサーバー弁のドリッパーの底部下に突出した受動部と、サーバーの蓋の凸部ないしはこれに代わる常閉のサーバー弁の受動凸部との、サーバーをドリッパーの下に抜き差しするときの、互いに引っ掛かり合いによって押し退け合いおよび押し退け解除によって、双方の弁を開き、自動閉止させるのに、前記引っ掛かり合いを軽減して必要な押し開きストロークを確保し、サーバーを容易に抜き差しできる。
【符号の説明】
【００４３】
３  流出口
５  凸部、受動凸部
６  受動部
７  ドリッパー弁
９、３８  コイルスプリング
１１、７１  取っ手
１２  テーブル面
１３  接地部
１４  案内面
１４ａ  段部
１５  支点
２１  給水タンク
２２  給湯手段
２２ａ  吐出口
２２ｂ  ヒーター
２３  ドリッピング部
２５  注出路
２７  注出弁
２８  操作手段
２９  受け入れ路
３１  サーバー弁
１００  ドリッパー
２００  サーバー
３００  蓋
４００  飲料自動抽出器
５００  器体
【図１】
0005533356.tif 000002
【図２】
0005533356.tif 000003
【図３】
0005533356.tif 000004
【図４】
0005533356.tif 000005
【図５】
0005533356.tif 000006